(57)【要約】【課題】ベース体と蓋体との嵌合状態の安定化を図った配管カバーを提供する点にある。【解決手段】被取付け部Ｅに取付け可能な底板部１ａの幅方向両側に側板部１ｃが一体形成されているベース体１と、天板部２ａの幅方向両側に側板部２ｂが一体形成されている蓋体２とを備え、ベース体１の両側板部１ｃと蓋体２の両側板部２ｂとの相対向する部位には、ベース体１と蓋体２とを筒状に嵌合連結するために脱着可能に嵌合する嵌合受け部Ａと嵌合部Ｂが長手方向に沿って一体形成されている配管カバーＨ１、Ｈ２であって、蓋体２側の嵌合部Ｂ又は嵌合受け部Ａには、ベース体１側の嵌合受け部Ａ又は嵌合部Ｂへの嵌合に連れて、嵌合連結時の正規開口幅よりも小なる開口幅にあるベース体１側の嵌合受け部Ａ又は嵌合部Ｂを正規開口幅にまで外方側に押し出す傾斜押圧面Ｂ１が形成されている。【選択図】図５
2008185180.tif 000002
【特許請求の範囲】
【請求項１】
被取付け部に取付け可能な底板部の幅方向両側に側板部が一体形成されているベース体と、天板部の幅方向両側に側板部が一体形成されている蓋体とを備え、前記ベース体の両側板部と蓋体の両側板部との相対向する部位には、ベース体と蓋体とを筒状に嵌合連結するために脱着可能に嵌合する嵌合受け部と嵌合部が長手方向に沿って一体形成されている配管カバーであって、
前記蓋体側の嵌合部又は嵌合受け部には、前記ベース体側の嵌合受け部又は嵌合部への嵌合に連れて、嵌合連結時の正規開口幅よりも小なる開口幅にあるベース体側の嵌合受け部又は嵌合部を正規開口幅にまで外方側に押し出す傾斜押圧面が形成されている配管カバー。
【請求項２】
被取付け部に取付け可能な底板部の幅方向両側に側板部が一体形成されているベース体と、天板部の幅方向両側に側板部が一体形成されている蓋体とを備え、前記ベース体の両側板部の先端部には、蓋体の両側板部の先端部に形成された嵌合部が脱着可能に嵌合する嵌合受け部が形成されている配管カバーであって、
前記蓋体側の嵌合部には、前記ベース体側の嵌合受け部への嵌合に連れて、嵌合連結時の正規開口幅よりも小なる開口幅にあるベース体側の嵌合受け部を正規開口幅にまで外方側に押し出す傾斜押圧面が形成されている配管カバー。
【請求項３】
前記ベース体側の嵌合受け部には、嵌合連結時に前記蓋体側の嵌合部に形成された傾斜押圧面と面接当する受圧傾斜面が形成されている請求項２記載の配管カバー。
【請求項４】
前記嵌合受け部が、幅方向中央側ほど底板部側に位置する傾斜姿勢の受圧傾斜面を有する下側嵌合受け板部分と、これの先端から蓋体の天板部側に延びる垂直嵌合受け板部分と、これの上端から蓋体の側板部の内面側に向かって斜め上方に延びる上側嵌合受け板部分と、これらで形成される嵌合凹部内に前記嵌合部を誘導するべく幅方向中央側ほど天板部側に位置する傾斜姿勢の嵌合案内面を有する嵌合誘導板部分とから構成されているとともに、前記嵌合部には、前記受圧傾斜面と面接当する傾斜押圧面を備えた下側嵌合押圧板部分が備えられている請求項２又は３記載の配管カバー。
【請求項５】
前記蓋体の両側板部の内面には、前記嵌合部と嵌合受け部との嵌合連結時に前記嵌合受け部の上側嵌合受け板部分を弾性復元力に抗して幅方向内方側に押圧する凸条部が形成されている請求項４記載の配管カバー。
【請求項６】
前記傾斜押圧面の傾斜角が２０度〜５５度、好ましくは３０度〜４５度内の傾斜角度に構成されている請求項1〜５のいずれか1項に記載の配管カバー。
【請求項７】
前記ベース体の両側板部が、無負荷状態で開口側ほど幅広に構成されているとともに、前記蓋体の両側板部が、無負荷状態で開口側ほど幅狭に構成されている請求項1〜６のいずれか1項に記載の配管カバー。
【発明の詳細な説明】
【技術分野】
【０００１】
本発明は、空調用配管等の配管類を配管経路に沿って配管収容する配管カバーに関する。
【背景技術】
【０００２】
近年、空調用室外機から室内機に接続される空調用配管等の配管類においては、空調用配管の保護と配管類を外部から見えないように配管ダクトに収容した配管がなされ、建屋の美観性の向上が図られることが行われている。
この種の配管ダクトは、直管状の配管カバーと、直管状や屈曲状の継手等を用いて、被取り付け体（例えば、室外壁、室内壁、床、天井等）に沿うように取り付け可能な構成になっている。
具体的には、配管カバーは、ベース体と蓋体とを備え、ベース体は、被取り付け体にネジ止めによって取付け可能であるとともに、蓋体は、前記ベース体に対して嵌脱自在に構成されている。継手は、前記配管カバーのベース体の端部を内嵌状態に受止め支持可能で、且つ、被取り付け体にネジ止めによって取付け可能な継手用ベース体と、ベース体に嵌合された蓋体の端部を内嵌状態に受止め支持可能な継手用蓋体とから構成されている。
そして、配管カバーは、ベース体の両端を継手用ベース体に受止め支持させた状態で該ベース体を被取り付け体にネジ止めし、配管類をベース体内に配置した後、ベース体の両側板部に各別に設けられた嵌合受け部に、蓋体の両側板部に各別に設けられた嵌合部を嵌合させることで、ベース体と蓋体を嵌合した後、継手用ベース体に継手用蓋体を嵌合して取り付け状態となる（例えば、特許文献１を参照）。
【０００３】
【特許文献１】特許第３０１８９７９号公報（第２頁、第３頁、図２）
【発明の開示】
【発明が解決しようとする課題】
【０００４】
この種の配管カバーにおいて、配管カバーのベース体の両端が継手の継手用ベース体に受止め支持した内嵌状態では、継手用ベース体の肉厚さ（２ｍｍ〜３ｍｍ程度）だけ底板部が被取り付け体から浮き上がった架橋状態になる。
ところが、特に、配管カバーが、約５００ｍｍ以下の長さで長手方向中央部の一箇所でネジ止めされる場合、ベース体の両端部を継手用ベース体に内嵌して被取付け体にネジ止めした状態では、ネジ止め部分は被取付け体に接当状態となり両端部は被取り付け体から浮き上がった状態となり、ベース体の長手方向中央部で被取り付け体側に弯曲するようなたわみを生じ、多くの場合、図１３に示すように、ベース体１００の長手方向中央部の両側板１０１，１０１が最も大きく内側に倒れ込むような変形を生じ、その結果、ベース体１００の両端部では蓋体１１０との嵌合状態を維持するが、端部からベース体１００の長手方向中央部に向う程、嵌合受け部１００Ａと嵌合部１１０Ａとの隙間が大きくなり蓋体１１０との嵌合状態が不安定になることによって、ベース体１００に対して蓋体１１０にガタツキやずれ落ち等を生じる問題がある。
本発明は上記の事情に鑑みてなされたものであり、その目的とするところは、ベース体と蓋体との嵌合状態の品質の向上を図った配管カバーを提供する点にある。
【課題を解決するための手段】
【０００５】
本発明の第１番目の配管カバーの特徴構成は、被取付け部に取付け可能な底板部の幅方向両側に側板部が一体形成されているベース体と、天板部の幅方向両側に側板部が一体形成されている蓋体とを備え、前記ベース体の両側板部と蓋体の両側板部との相対向する部位には、ベース体と蓋体とを筒状に嵌合連結するために脱着可能に嵌合する嵌合受け部と嵌合部が長手方向に沿って一体形成されている配管カバーであって、前記蓋体側の嵌合部又は嵌合受け部には、前記ベース体側の嵌合受け部又は嵌合部への嵌合に連れて、嵌合連結時の正規開口幅よりも小なる開口幅にあるベース体側の嵌合受け部又は嵌合部を正規開口幅にまで外方側に押し出す傾斜押圧面が形成されている。
【０００６】
上記特徴構成によれば、蓋体側の嵌合部又は嵌合受け部と、ベース体側の嵌合受け部又は嵌合部の嵌合に連れて、蓋体側の傾斜押圧面によって嵌合連結時の正規開口幅よりも小なる開口幅にあるベース体側の嵌合受け部又は嵌合部を正規開口幅にまで外方側に押し出すことにより、ベース体と蓋体の嵌合状態では、嵌合受け部と嵌合部が互いに圧接する状態になりベース体から蓋体が外れ難い配管カバーを形成することができる。
また、使用状態においては、継手用ベース体に装着自在な継手用蓋体を備える直管状や屈曲状の継手等を用いて、被取り付け体（例えば、室外壁、室内壁、床、天井等）に沿うように取り付け可能な構成になっており、ベース体の両端を継手用ベース体に受止め支持させた状態で該ベース体を被取り付け体に取り付け、このベース体に配管類を配置し蓋体を嵌合させた後継手用ベース体に継手用蓋体を装着して、配管カバーが継手に拘束状態に取り付けられる。
この配管カバーの取り付けの際、ベース体の両端部を継手の継手用ベース体に内嵌して被取付け体に取り付けた状態では、取り付け部分は被取付け体に接当状態になるが、両端部は継手用ベース体に内嵌されているので被取り付け体から浮き上がった状態となることにより、特に、長さが５００ｍｍ以下で長手方向中央部の一箇所で被取り付け体に取り付けられるような場合、配管カバーにおいて、ベース体自体に変形を生じてベース体の両側板が内側に倒れ込むような変形を生じて、ベース体の側板に変形を生じて側板部間の間隔が無負荷状態よりも小さくなり、嵌合受け部と嵌合部との嵌合が不適切な状態になっても、蓋体側の嵌合部又は嵌合受け部と、ベース体側の嵌合受け部又は嵌合部の嵌合に連れて、嵌合連結時の正規開口幅よりも小なる開口幅にあるベース体側の嵌合受け部又は嵌合部を正規開口幅にまで外方側に押し出す傾斜押圧面が形成されているので、ベース体の側板部間の間隔を正規開口幅にまで矯正されてベース体と蓋体とを安定した嵌合状態にすることができる。
【０００７】
従って、ベース体と蓋体との嵌合を良好な状態にすることができるとともに、被取り付け体への取り付け等で生じる配管カバーの変形に起因して、蓋体の嵌合が不安定となる問題を解消することができるので、この種の配管カバーの品質を向上することができる。
【０００８】
本発明の第２番目の配管カバーの特徴構成は、被取付け部に取付け可能な底板部の幅方向両側に側板部が一体形成されているベース体と、天板部の幅方向両側に側板部が一体形成されている蓋体とを備え、前記ベース体の両側板部の先端部には、蓋体の両側板部の先端部に形成された嵌合部が脱着可能に嵌合する嵌合受け部が形成されている配管カバーであって、
前記蓋体側の嵌合部には、前記ベース体側の嵌合受け部への嵌合に連れて、嵌合連結時の正規開口幅よりも小なる開口幅にあるベース体側の嵌合受け部を正規開口幅にまで外方側に押し出す傾斜押圧面が形成されている点にある。
【０００９】
上記特徴構成によれば、ベース体側の嵌合受け部と蓋体側の嵌合部の嵌合に連れて、蓋体側の傾斜押圧面によって、嵌合連結時の正規開口幅よりも小なる開口幅にあるベース体側の嵌合受け部を正規開口幅にまで外方側に押し出すことにより、ベース体と蓋体の嵌合状態では、嵌合受け部と嵌合部が互いに圧接する状態になりベース体から蓋体が外れ難い配管カバーを形成することができる。
また、配管カバー自体は、継手用ベース体に装着自在な継手用蓋体を備える直管状や屈曲状の継手等を用いて、被取り付け体に沿うように取り付け可能な構成になっており、ベース体の両端を継手用ベース体に受止め支持させた状態で該ベース体を被取り付け体に取り付け、このベース体に配管類を配置し蓋体を嵌合させた後継手用ベース体に継手用蓋体を装着して、配管カバーが継手に拘束状態に取り付けられる。
この配管カバーの取り付けの際、ベース体の両端部を継手の継手用ベース体に内嵌して被取付け体に取り付けた状態では、取り付け部分は被取付け体に接当状態になるが、両端部は継手用ベース体に内嵌されているので被取り付け体から浮き上がった状態となることにより、特に、長さが５００ｍｍ以下で長手方向中央部の一箇所で被取り付け体に取り付けられるような場合、配管カバーにおいて、ベース体自体に変形を生じてベース体の両側板が内側に倒れ込むような変形を生じて、ベース体の側板に変形を生じて側板部間の間隔が無負荷状態よりも小さくなり、嵌合受け部と嵌合部との嵌合が不適切な状態になっても、ベース体側の嵌合受け部と蓋体の嵌合部の嵌合に連れて、嵌合連結時の正規開口幅よりも小なる開口幅にあるベース体側の嵌合受け部を正規開口幅にまで外方側に押し出して、ベース体の側板部間の間隔を正規開口幅にまで矯正されてベース体と蓋体とを安定した嵌合状態にすることができる。
【００１０】
従って、ベース体と蓋体との嵌合を良好な状態にすることができるとともに、被取り付け体への取り付け等で生じる配管カバーの変形に起因して、蓋体の嵌合が不安定となる問題を解消することができるので、この種の配管カバーの品質を向上することができる。
【００１１】
本発明の第３番目の配管カバーの特徴構成は、前記ベース体側の嵌合受け部には、嵌合連結時に前記蓋体側の嵌合部に形成された傾斜押圧面と面接当する受圧傾斜面が形成されている点にある。
【００１２】
上記特徴構成によれば、ベース体側の嵌合受け部と蓋体側の嵌合部の嵌合に連れて、ベース体側の受圧傾斜面と蓋体側の傾斜押圧面とを面接当状態にすることにより、嵌合連結時の正規開口幅よりも小なる開口幅にあるベース体側の嵌合受け部を正規開口幅にまで外方側に押し出して、ベース体と蓋体を正規の嵌合状態にすることができる。
【００１３】
従って、嵌合品質が良好な配管カバーを形成することができる。
【００１４】
本発明の第４番目の配管カバーの特徴構成は、前記嵌合受け部が、幅方向中央側ほど底板部側に位置する傾斜姿勢の受圧傾斜面を有する下側嵌合受け板部分と、これの先端から蓋体の天板部側に延びる垂直嵌合受け板部分と、これの上端から蓋体の側板部の内面側に向かって斜め上方に延びる上側嵌合受け板部分と、これらで形成される嵌合凹部内に前記嵌合部を誘導するべく幅方向中央側ほど天板部側に位置する傾斜姿勢の嵌合案内面を有する嵌合誘導板部分とから構成されているとともに、前記嵌合部には、前記受圧傾斜面と面接当する傾斜押圧面を備えた下側嵌合押圧板部分が備えられている点にある。
【００１５】
上記特徴構成によれば、例えば、ベース体の一方の嵌合受け部の嵌合凹部内に、これと対向する蓋体の一方の嵌合部を嵌め入れた状態から、ベース体の他方の嵌合受け部の嵌合誘導板部の嵌合案内面に蓋体の他方の嵌合部を当て付けながら対応する嵌合凹部内に誘導して嵌め入れることによって、ベース体側の嵌合受け部と蓋体側の嵌合部を嵌合状態にすることによって、ベース体側の受圧傾斜面と蓋体側の傾斜押圧面とが面接当することにより、嵌合連結時の正規開口幅よりも小なる開口幅にあるベース体側の嵌合受け部を正規開口幅にまで外方側に押し出して、ベース体と蓋体とを正規の嵌合状態にすることができる。
【００１６】
従って、ベース体に対して蓋体をスムーズに嵌合状態にすることができるので、配管施工を能率よく実施することができる。
【００１７】
本発明の第５番目の配管カバーの特徴構成は、前記蓋体の両側板部の内面には、前記嵌合部と嵌合受け部との嵌合連結時に前記嵌合受け部の上側嵌合受け板部分を弾性復元力に抗して幅方向内方側に押圧する凸条部が形成されている点にある。
【００１８】
上記特徴構成によれば、ベース体の嵌合受け部に蓋体の嵌合部が嵌合した状態で、蓋体の凸条部がベース体の嵌合受け部の上側嵌合受け板部分を弾性復元力に抗して幅方向内方側に押圧することにより、嵌合受け部の受圧傾斜面に対して嵌合部の傾斜押圧面が押圧する反力となることによって、ベース体と蓋体とを正規の嵌合状態に保持することができるとともに、ベース体と蓋体との嵌合性を高めることができる。
【００１９】
従って、ベース体と蓋体との嵌合品質の向上を図ることができる。
【００２０】
本発明の第６番目の配管カバーの特徴構成は、前記傾斜押圧面の傾斜角が２０度〜５５度、好ましくは３０度〜４５度内の傾斜角度に構成されている点にある。
【００２１】
上記特徴構成によれば、２０度以下であれば、嵌合受け部に嵌合部を嵌合状態にするのが難しくなり、５５度以上であれば、ベース体の受圧傾斜面と蓋体の押圧傾斜面とに滑りを生じて、ベース体側の嵌合受け部を正規開口幅にまで外方側に押し出すことが難しくなる。
３０度〜４５度内であれば、嵌合受け部と嵌合部の嵌合状態が良好であるとともに、ベース体側の嵌合受け部を正規開口幅にまで外方側に押し出す力を良好に作用させることができる。
【００２２】
従って、嵌合連結時の正規開口幅よりも小なる開口幅にあるベース体側の嵌合受け部を正規開口幅にまで最適に外方側に押し出して、ベース体と蓋体とを正規の嵌合状態にすることができる。
【００２３】
本発明の第７番目の配管カバーの特徴構成は、前記ベース体の両側板部が、無負荷状態で開口側ほど幅広に構成されているとともに、前記蓋体の両側板部が、無負荷状態で開口側ほど幅狭に構成されている点にある。
【００２４】
上記特徴構成によれば、ベース体の嵌合受け部に蓋体の嵌合部が嵌合された状態では、ベース体の側板部が内側に弾性変形力に抗して変形し、蓋体の側板部が外側に弾性変形力に抗して変形し、嵌合受け部と嵌合部が圧接する状態となって、ベース体に対して蓋体の嵌合状態を強くすることができる。
【００２５】
従って、嵌合性の良好な配管カバーを形成することができる。
【発明を実施するための最良の形態】
【００２６】
以下、本発明を適用した配管カバーを図面に基づいて説明する。
〔実施形態〕
空調配管等の冷媒管等の配管類Ｃにおいては、室内側に設置された室内機Ｇから室外側に設置された室外機Ｆに至る配管類Ｃを、配管ダクトＤに収容された状態で配設することが行われており、配管の保護や外観の美観等の向上が図られている。
【００２７】
前記配管ダクトＤは、直管状の短尺や長尺の配管カバーＨ１，Ｈ２と、直管形態や屈曲管形態の継手Ｊを用いて、それらを被取り付け体Ｅ（例えば、室外壁、室内壁、床、天井等）に組付けて形成されている。
【００２８】
室外側では、例えば、図８に示すように、窓ｍの上部に室内側への貫通孔ａがあるような場合、長尺の配管カバーＨ２と短尺の配管カバーＨ１を、９０角度の継手ＪＡ（Ｊ）、貫通孔用の継手ＪＢ（Ｊ）、管端継手ＪＣ（Ｊ）を用いて、室外に設置されて室外機Ｆから窓上部の貫通孔ａに至る倒立Ｌ字状の配管経路に沿って配設される配管ダクトＤが形成される。
【００２９】
室内側では、例えば、図９に示すように、一対の短尺の配管カバーＨ１，Ｈ１を、貫通孔用の継手ＪＤ（Ｊ）、９０角度の継手ＪＥ（Ｊ）、室内機接続用の継手ＪＦ（Ｊ）を用いて、室内に設置されている室内機Ｇから貫通孔ａに至る倒立Ｌ字状の配管経路に沿って配設される配管ダクトＤが形成される。
【００３０】
上述のように用いられる配管カバーＨ１，Ｈ２の両端部は、継手Ｊに内嵌状態に接続がなされ、配管カバーＨ１、Ｈ２や継手Ｊは、硬質塩化ビニル等の合成樹脂材から成型されている。
【００３１】
配管カバーＨ１，Ｈ１は、図１〜図５に示すように、底板部１ａの幅方向両側に側板部１ｃ，１ｃが一体形成され略断面上向きコ字状をなし、且つ、底板部１ａの幅方向中央に板長手方向に沿って被取り付け体Ｅにネジ止め可能なネジ止め部１ｂが形成されているベース体１と、天板部２ａの幅方向両側にベース体１の側板部１ｃ，１ｃ間の間隔より僅かに小さな間隔に側板部２ｂ，２ｂが一体形成され略断面下向きコ字状をなす蓋体２とを備え、ベース体１と蓋体２とを筒状に嵌合連結するために脱着可能に嵌合する嵌合受け部Ａと嵌合部Ｂが長手方向に沿って一体形成されている。
【００３２】
ネジ止め部１ｂは、ベース体１の板中央を長手方向に沿って内側に凸設し外側に蟻溝を形成する凸部に沿って形成され、図示しないが、ネジ止め部１ｂに対応する箇所には、ネジ受け孔が形成されている。
【００３３】
この実施形態では、ベース体１の側板部１ｃ，１ｃの先端には嵌合受け部Ａが形成され、蓋体２の側板部１ｃ，１ｃの先端には前記嵌合受け部Ａに嵌合可能な嵌合部Ｂが形成され、ベース体１と蓋体２との嵌合状態で両部材１，２内に形成される内部経路に沿って配管類Ｃを収納可能になっている。前記蓋体２において、天板部２ａと側板部２ｂとのコーナー部分は面取り状に形成されている。
【００３４】
前記蓋体２側の嵌合部Ｂには、前記ベース体１側の嵌合受け部Ａへの嵌合に連れて、嵌合連結時の正規開口幅よりも小なる開口幅にあるベース体１側の嵌合受け部Ａを正規開口幅にまで外方側に押し出す傾斜押圧面Ｂ１が形成されている。
【００３５】
前記ベース体１側の嵌合受け部Ａには、嵌合連結時に前記蓋体２側の嵌合部Ｂに形成された傾斜押圧面Ｂ１と面接当する受圧傾斜面Ａ１が形成されている。
【００３６】
前記嵌合受け部Ａは、幅方向中央側ほど底板部１ａ側に位置する傾斜姿勢の受圧傾斜面Ａ１を有する下側嵌合受け板部分１Ａａと、これの先端から蓋体２の天板部２ａ側に延びる垂直嵌合受け板部分１Ａｂと、これの上端から蓋体２の側板部２ｂ，２ｂの内面側に向かって斜め上方に延びる上側嵌合受け板部分１Ａｃと、これらで形成される嵌合凹部１Ａｄ内に前記嵌合部Ｂを誘導するべく幅方向中央側ほど天板部２ａ側に位置する内側に彎曲しながら反り返る傾斜姿勢の嵌合案内面１Ｅを有する嵌合誘導板部分１Ａｅとから構成されている。
【００３７】
前記嵌合部Ｂは、前記受圧傾斜面Ａ１と面接当する傾斜押圧面Ｂ１を備えた下側嵌合押圧板部分２Ｂａが備えられている。
【００３８】
前記蓋体２の両側板部２ｂ，２ｂの内面には、側板部２ｂに対して略直角に突出して、前記嵌合部Ｂと嵌合受け部Ａとの嵌合連結時に、嵌合受け部Ａの嵌合凹部１Ａｄ内に納まって前記嵌合受け部Ａの抜け出しを阻止する凸条部２ｃが形成されている。
【００３９】
前記嵌合受け部Ａは、嵌合凹部１Ａｄ内に前記嵌合部Ｂの全体が嵌合状態で収容状態となり、この嵌合状態でベース体１の側板部１ｃ，１ｃと、これらに対向する蓋体２の側板部２ｂ，２ｂとが面一状態となる。
【００４０】
前記ベース体１の側板部１ｃ，１ｃは、図１に示すように、底板部１ａに対して基端部よりも先端部が外方に傾斜し、ベース体１の側板部１ｃ，１ｃ間の間隔が底板部１ａから離れる程に間隔が広くなる形態に形成されているとともに、蓋体２の側板部２ｂ，２ｂは、前記ベース体１の側板部１ｃ，１ｃ間の間隔よりも僅かに小さい間隔に構成されている。
【００４１】
ベース体１の嵌合受け部Ａに蓋体２の嵌合部Ｂを嵌合した状態では、ベース体１の側板部１ｃ，１ｃが内側に弾性変形力に抗して傾動し、蓋体２の側板部２ｂ，２ｂが外側に弾性変形力に抗して傾動し、相対する側板１ｃ，２ｂ同士が圧接する状態となって、ベース体１に対して蓋体２が外れ難い構造を形成している。
【００４２】
前記継手Ｊは、前記配管カバーＨ１を構成するベース体１と蓋体２の両端部１Ｊ，１Ｊ，２Ｊ，２Ｊに各々対応して、被取り付け体Ｅにネジ止めによって取り付け可能でベース体１の端部を内嵌可能な継手用ベース体Ｊａと、これに係合手段Ｊ１を介して係脱可能で前記蓋体２の端部と継手用ベース体Ｊａを内嵌可能な継手用蓋体Ｊｂとから構成されている。
【００４３】
配管カバーＨ１のベース体１の両端が継手Ｊの継手用ベース体Ｊａに受止め支持した状態では、継手用ベース体Ｊａの肉厚さ（２ｍｍ〜３ｍｍ程度）ｔだけ底板部１ａが被取り付け体Ｅから浮き上がった架橋状態になる。
【００４４】
このような架橋状態でベース体１の長手方向中央部を被取り付け体Ｅに一本のネジ（タッピングネジ）ｂでネジ止めした状態では、特に、約５００ｍｍ以下の長さの短尺の配管カバーＨ１の場合、図２〜図４に示すように、ネジ止め部分の底板１ａは被取付け体Ｅに接当状態となり両端部は継手用ベース体Ｊａに支持されているので、ベース体１が長手方向中央部で被取り付け体Ｅ側に弯曲するようなたわみを生じ、多くの場合、ベース体１の長手方向中央部の両側板１ｃ，１ｃが最も大きく内側に倒れ込むような変形を生じる。
【００４５】
このたわみ状態のままで、配管類Ｃをベース体１内に配置した後、図４に示すように、ベース体１の一方の側板部１ｃの嵌合受け部Ａに蓋体２の一方の嵌合部Ｂを挿入した姿勢から、ベース体１の他方の側板部１ｃの嵌合受け部Ａに、この嵌合受け部Ａ側の嵌合案内面１Ｅに蓋体２の他方の嵌合部Ｂを摺接案内して他方の嵌合部Ｂに両部材の弾性変形力に抗して挿入する嵌合姿勢にすることによって、ベース体１の嵌合受け部Ａに蓋体２の嵌合部Ｂが嵌合状態となる。
【００４６】
特に、上述のベース体１の変形に起因してベース体１の側板部１ｃ、１ｃが内側に倒れ込む状態が大きいベース体１の長手方向中央部分においても、蓋体２側の嵌合部Ｂとベース体１側の嵌合受け部Ａの嵌合に連れて、嵌合連結時の正規開口幅よりも小なる開口幅にあるベース体１側の嵌合受け部Ａを正規開口幅にまで外方側に押し出すことができるので、ベース体１の側板部１ｃ，１ｃ間の間隔を正規開口幅にまで矯正してベース体１と蓋体２とを安定した嵌合状態にすることができる。
【００４７】
また、長手方向中央部分以外の他のベース部分においても、ベース体１の側板部１ｃ、１ｃを外方に押し付けて該嵌合受け部Ａに嵌合部Ｂが適正に対応する嵌合状態に矯正することができるので、ベース体１の長手方向の何れの位置においても蓋体２との嵌合連結が良好な状態となる。
【００４８】
そして、図７に示すように、継手用ベース体Ｊａに対して嵌脱自在で蓋体２の端部を内嵌可能な継手用蓋体Ｊｂを継手用ベース体Ｊａに嵌合することによって、嵌合状態のベース体１と蓋体２とで形成されるカバー内経路に沿って配管類Ｃが収納される。
【００４９】
前記嵌合部Ｂの傾斜押圧面Ｂ１は、図１に示すように、側板部２ｂと直交する仮想線Ｘ１に対しての傾斜角度βが、２０度〜５５度、好ましくは３０度〜４５度内の傾斜角度に構成されている。
【００５０】
同様に前記嵌合受け部Ａの受圧傾斜面Ａ１は、側板部１ｃと直交する仮想線Ｘ２に対しての傾斜角度βが、２０度〜５５度、好ましくは３０度〜４５度内の傾斜角度に構成されている。
【００５１】
傾斜角度βが２０度以下であれば、一方の嵌合受け部Ａに一方の嵌合部Ｂを嵌合することができても他方の嵌合受け部Ａに他方の嵌合部Ｂを嵌合するのが難しいというように、嵌合受け部Ａに嵌合部Ｂを嵌合するのが難しくなり、５５度以上であれば、ベース体１の受圧傾斜面Ａ１と蓋体２の傾斜押圧面Ｂ１とに滑りを生じやすく、嵌合連結時の正規開口幅よりも小なる開口幅にあるベース体側の嵌合受け部を正規開口幅にまで外方側に安定的に押し出すのが難しくなる。
【００５２】
［別実施形態］
１）  上記実施形態の配管カバーＨ１、Ｈ２においては、前記ベース体１の側板部の先端に嵌合受け部Ａが形成され、蓋体２の先端に前記嵌合受け部Ａに嵌合可能な嵌合部Ｂが形成されるものについて説明したが、本発明はこれに限らず、前記ベース体１の側板部１ｃ，１ｃの先端に嵌合部Ｂが形成され、蓋体２の側板部２ｂ，２ｂの先端に前記嵌合部Ｂが嵌合可能な嵌合受け部Ａが形成されるものであってもよく、上記実施形態と同様の作用効果を奏する。
【００５３】
前記嵌合受け部Ａは、図１０に示すように、幅方向中央側ほど底板部１ａ側に位置する傾斜姿勢の受圧傾斜面Ａ１を有する下側嵌合受け板部分２Ｂａと、これの先端からベース体１の底板部１ａ側に延びる垂直嵌合受け板部分２Ｂｃと、これの下端からベース体１の側板部１ｃ，１ｃの内面側に向かって斜め上方に延びる上側嵌合受け板部分２Ｂｄと、これらで形成される嵌合凹部２Ｂｅ内に前記嵌合部Ｂを誘導するべく幅方向中央側ほど天板部２ａ側に位置する内側に彎曲しながら反り返る傾斜姿勢の嵌合案内面２Ｅを有する嵌合誘導板部分２Ｂｆとから構成されている。
【００５４】
前記嵌合部Ｂは、前記受圧傾斜面Ａ１と面接当する傾斜押圧面Ｂ１を備えた下側嵌合押圧板部分１ｄが備えられている。
【００５５】
前記蓋体１の両側板部１ｃ，１ｃの内面には、側板部１ｃに対して略直角に突出して、前記嵌合部Ｂと嵌合受け部Ａとの嵌合連結時に、嵌合受け部Ａの嵌合凹部２Ｂｅ内に納まって前記嵌合受け部Ａの抜け出しを阻止する凸条部１ｅが形成されている。
【００５６】
２）  上記実施形態の配管カバーＨ１、Ｈ２において、蓋体２の両側板部２ｂ，２ｂの内面に、嵌合部Ｂと嵌合受け部Ａとの嵌合連結時に、嵌合受け部Ａの嵌合凹部１Ａｄ内に納まって前記嵌合受け部Ａの抜け出しを阻止する凸条部２ｃが形成されている例を説明したが、本発明はこれに限らず、図１１に示すように、蓋体２の両側板部２ｂ，２ｂの内面に、嵌合部Ｂと嵌合受け部Ａとの嵌合連結時に前記嵌合受け部Ａの上側嵌合受け板部分１Ａｃを弾性復元力に抗して幅方向内方側に押圧する凸条部２ｃａが形成されているものであってもよい。
この別実施形態の凸条部２ｃａは、嵌合受け部Ａと嵌合部Ｂとが嵌合する状態で、蓋体の側板部と嵌合受け部Ａの垂直嵌合受け板部分１Ａｂとの対向間隔よりも若干長い突出長さに形成されており、垂直嵌合受け板部分１Ａｂとの対向間隔よりも長い部分の存在によって、嵌合受け部Ａと嵌合部Ｂとの嵌合状態で、嵌合受け部Ａを幅方向内方側に押圧することが可能になっている。
この場合、上記実施形態と同様に嵌合受け部Ａから嵌合部Ｂが抜け出すのを阻止する機能を備えながら、ベース体１の側板部１ｃから嵌合受け部Ａが内側に弾性変形力を受けることによって、その反力が傾斜押圧面Ｂ１から受圧傾斜面Ａ１への弾性付勢力として作用することで、嵌合受け部Ａに対する嵌合部Ｂの嵌合力を強くすることができるので、傾斜押圧面Ｂ１と受圧傾斜面Ａ１の面接当性を高めて、ベース体１と蓋体２を正規の嵌合状態に維持する機能の向上を図ることができる。
【００５７】
３）  上記実施形態では、蓋体２の嵌合部Ｂに、前記受圧傾斜面Ａ１と面接当する傾斜押圧面Ｂ１を備えた下側嵌合押圧板部分２Ｂａが備えられている例について説明したが、本発明はこれに限らず、図１２に示すように、前記嵌合部Ｂが、前記受圧傾斜面Ａ１と面接当する傾斜押圧面Ｂ１を備えた下側嵌合押圧板部分２Ｂａと、これの先端から前記垂直嵌合受け板部分１Ａｂに接触状態で天板部２ａ側に延びる垂直嵌合板部分２Ｂｆを備える構成であってもよい。
【００５８】
４）  上記実施形態では、空調配管の冷媒管などの配管類Ｃを配管ダクトＤに収容するものに本発明を適用する例を説明したが、本発明はこれに限らず、例えば、給湯配管等の被覆管等の配管類を配管ダクトＤに収容するものに本発明を適用してもよい。
【００５９】
尚、図面記載された上記別実施形態において上記実施形態と同様構成箇所には同符号を附してその詳細は省略する。
【図面の簡単な説明】
【００６０】
【図１】配管カバーを示す分断断面図
【図２】短尺の配管カバーのベース体を被取り付け体に取り付けた状態を示す説明図
【図３】短尺の配管カバーのベース体を被取り付け体にネジ止めした状態を示す説明図
【図４】ベース体に対して蓋体の嵌合の手順を示す断面図
【図５】ベース体に蓋体を嵌合した状態を示す断面図
【図６】ベース体側の嵌合受け部と蓋体側の嵌合部との嵌合状態を示す要部拡大断面図
【図７】継手に配管カバーを内嵌した状態を示す断面図
【図８】室外側の配管ダクトの一例を示す説明図
【図９】室内側の配管ダクトの一例を示す説明図
【図１０】別実施形態の嵌合受け部と嵌合部の嵌合状態を示す要部断面図
【図１１】別実施形態の配管カバーを示す断面図
【図１２】別実施形態の嵌合受け部と嵌合部の嵌合状態を示す要部断面図
【図１３】従来の配管カバーのベース体と蓋体との嵌合状態を示す断面図
【符号の説明】
【００６１】
Ａ                嵌合受け部
Ａ１              受圧案内面
Ｂ                傾斜受け部
Ｂ１              傾斜押圧面
Ｅ                被取り付け体
Ｈ１              配管カバー
Ｈ２              配管カバー
１                ベース体
１ａ              底板部
１ｃ              側板部
１ｅ              凸条部
１Ａａ            下側嵌合受け板部分
１Ａｂ            垂直嵌合受け板部分
１Ａｃ            上側嵌合受け板部分
１Ａｄ            嵌合凹部
１Ａｅ            嵌合誘導板部分
１Ｅ              嵌合案内面
２                蓋体
２ａ              天板部
２ｂ              側板部
２ｃ              凸条部
２ｃａ            凸条部
２Ｂａ            下側嵌合受け板部分
２Ｂｃ            垂直嵌合受け板部分
２Ｂｄ            上側嵌合受け板部分
２Ｂｅ            嵌合凹部
２Ｂｆ            嵌合誘導板部分
２Ｅ              嵌合案内面
β                傾斜角度
【図１】
2008185180.tif 000003
【図２】
2008185180.tif 000004
【図３】
2008185180.tif 000005
【図４】
2008185180.tif 000006
【図５】
2008185180.tif 000007
【図６】
2008185180.tif 000008
【図７】
2008185180.tif 000009
【図８】
2008185180.tif 000010
【図９】
2008185180.tif 000011
【図１０】
2008185180.tif 000012
【図１１】
2008185180.tif 000013
【図１２】
2008185180.tif 000014
【図１３】
2008185180.tif 000015